(57)【要約】【課題】本発明は、変圧器の内部異常検出と劣化診断が容易にできる技術の提供を目的とする。【解決手段】本発明は、コイル体を構成する巻線と鉄心とこれらを収容するタンクを備えた変圧器の内部異常および劣化の診断方法であって、前記タンクを構成する底板と側板と天板のいずれかまたは複数に複数の加速度センサを設置し、前記加速度センサから得られる情報を基に、前記タンクの振動を肉眼で視覚可能となるように時間分割して表示装置にアニメーション表示し、この表示内容の把握から、前記巻線の振動モードまたは前記鉄心の振動モードに特徴的な固有振動を拾い出し、前記固有振動数の変化を基に稼働状態の変圧器の振動応答を解析することを特徴とする。【選択図】図１
2020094938.tif 000002
【特許請求の範囲】
【請求項１】
コイル体を構成する巻線と鉄心とこれらを収容するタンクを備えた変圧器の内部異常および劣化の診断方法であって、
前記タンクを構成する底板と側板と天板のいずれかまたは複数に複数の加速度センサを設置し、前記加速度センサから得られる情報を基に、前記タンクの振動を肉眼で視覚可能となるように時間分割して表示装置にアニメーション表示し、この表示内容の把握から、前記巻線の振動モードまたは前記鉄心の振動モードに特徴的な固有振動を拾い出し、前記固有振動数の変化を基に稼働状態の変圧器の振動応答を解析することを特徴とする変圧器内部異常および劣化の診断方法。
【請求項２】
コイル体を構成する巻線と鉄心とこれらを収容するタンクを備えた変圧器の内部異常および劣化の診断方法であって、
前記タンクを構成する底板と側板と天板のいずれかまたは複数に複数の加速度センサを設置し、前記巻線に通電して前記変圧器を稼働している間に前記加速度センサにより振動を測定し、
前記底板と天板が逆位相で振動し、かつ側板に比較して底板と天板がともに大きな振動を示す固有振動を巻線の縦振動モー1ドと推定し、該縦振動の固有振動数の変化を基に稼働状態の変圧器の振動応答を解析することを特徴とする変圧器内部異常および劣化の診断方法。
【請求項３】
コイル体を構成する巻線と鉄心とこれらを収容するタンクを備えた変圧器の内部異常および劣化の診断方法であって、
前記タンクを構成する底板と側板と天板のいずれかまたは複数に１つまたは複数の加速度センサを設置し、前記巻線に通電して前記変圧器を稼働している間に前記加速度センサにより振動を測定し、
前記底板と側板と天板のいずれかに現れる変位から前記鉄心の特定方向の曲げモードであるか前記鉄心のねじりモードであるかを推定し、前記モードを推定した固有振動数の変化を基に前記稼働状態の変圧器の振動応答を解析することを特徴とする変圧器内部異常および劣化の診断方法。
【請求項４】
コイル体を構成する巻線と鉄心とこれらを収容するタンクを備えた変圧器の内部異常および劣化の診断方法であって、
前記タンクを構成する底板と側板と天板のいずれかまたは複数に加速度センサを設置し、前記変圧器の稼働に支障のない打撃力で前記底板または天板をハンマリングした結果得られる振動を測定し、前記底板と天板が逆位相で振動し、かつ側板に比較して底板と天板がともに大きな振動を示す固有振動を巻線の縦振動モードと推定し、該縦振動の固有振動数の変化を基に稼働状態の変圧器の振動応答を解析することを特徴とする変圧器内部異常および劣化の診断方法。
【請求項５】
コイル体を構成する巻線と鉄心とこれらを収容するタンクを備えた変圧器の内部異常および劣化の診断方法であって、
前記タンクを構成する底板と側板と天板のいずれかまたは複数に加速度センサを設置し、前記変圧器の稼働に支障のない打撃力で前記底板または天板をハンマリングした結果得られる振動を測定し、
前記底板と側板と天板のいずれかに現れる変位から前記鉄心の特定方向の曲げモードであるか前記鉄心のねじりモードであるかを推定し、前記モードを推定した固有振動数の変化を基に前記稼働状態の変圧器の振動応答を解析することを特徴とする変圧器内部異常および劣化の診断方法。
【請求項６】
請求項２または請求項４において求めた縦振動モードの固有振動数を健全な変圧器の縦振動モードの固有振動数と比較してその差異により変圧器の内部異常や劣化を診断することを特徴とする請求項２または請求項４に記載の変圧器内部異常および劣化の診断方法。
【請求項７】
コイル体を構成する巻線と鉄心とこれらを収容するタンクを備えた変圧器を製造する場合、前記巻線を備えたコイル体と鉄心をタンクに収容して変圧器を製造した後、前記巻線や鉄心の振動モードと固有振動数を測定し、これらの測定値を変圧器の巻線や巻線の固有振動数および振動モードの正常値として記録するとともに、前記巻線や鉄心を強制的に変形させた場合の変形度合と前記固有振動数および振動モードの関係を変圧器の固有振動数および振動モードの異常値として記録しておき、
変圧器を設置して稼働した後に前記巻線や鉄心の固有振動数と振動モードを測定し、この測定結果を前記正常値あるいは前記異常値と比較して変圧器の内部異常や劣化診断を可能とする変圧器の製造販売方法。
【請求項８】
コイル体を構成する巻線と鉄心とこれらを収容するタンクを備えた変圧器の内部異常および劣化の診断装置であって、
前記タンクを構成する底板と側板と天板のいずれかまたは複数に取り付けられる複数の加速度センサと、前記１つまたは複数の加速度センサから得られる情報を基に、前記タンクの振動を肉眼で視覚可能となるように時間分割して表示装置に送る演算装置と、該演算装置から送られた信号を基に前記タンクの振動をアニメーション表示する表示装置と、この表示内容の把握から、前記巻線の振動モードまたは前記鉄心の振動モードに特徴的な固有振動を拾い出し、前記固有振動数の変化を基に稼働状態の変圧器の振動応答を解析する演算装置を備えたことを特徴とする変圧器内部異常および劣化の診断装置。
【請求項９】
前記演算装置に、前記底板と天板が逆位相で振動し、かつ側板に比較して底板と天板がともに大きな振動を示す固有振動を巻線の縦振動モードと推定し、該縦振動の固有振動数の変化を基に稼働状態の変圧器の振動応答を解析する機能を備えたことを特徴とする請求項８に記載の変圧器内部異常および劣化の診断装置。
【請求項１０】
前記演算装置に、前記底板と側板と天板のいずれかに現れる変位から前記鉄心の特定方向の曲げモードであるか前記鉄心のねじりモードであるかを推定し、前記モードを推定した固有振動数の変化を基に前記稼働状態の変圧器の振動応答を解析する機能を備えたことを特徴とする請求項８に記載の変圧器内部異常および劣化の診断装置。
【請求項１１】
請求項９において求めた前記縦振動モードの固有振動数を健全な変圧器の縦振動モードの固有振動数と比較してその差異により変圧器の内部異常や劣化を診断する機能を備えたことを特徴とする請求項９に記載の変圧器内部異常および劣化の診断装置。
【請求項１２】
請求項１０において求めた前記鉄心の特定方向の曲げモードと前記鉄心のねじりモードのいずれかまたは両方を健全な変圧器の縦振動モードの固有振動数と比較してその差異により変圧器の内部異常や劣化を診断する機能を備えたことを特徴とする請求項１０に記載の変圧器内部異常および劣化の診断装置。
【発明の詳細な説明】
【技術分野】
【０００１】
本発明は変圧器内部異常および劣化を容易に診断することができる診断方法と診断装置および変圧器の製造販売方法に関する。
【背景技術】
【０００２】
変圧器は電力設備の重要な機器である。その使用寿命は数１０年と長いので、使用期間中に変圧器が不具合なく稼働しているか否か、異常診断を行い、故障する前に適切な修理を施し得ることが重要である。また、使用中の機器を今後どの程度使い続けることができるのか劣化診断して更新計画を立てるなどの施策をとることが、機器の信頼性確保の面で重要であり、それら診断技術の高度化が望まれている。
【０００３】
本発明者らは、稼働状態の変圧器振動について振動検出器と電子回路またはソフトウエアを用いた信号処理による手段を用いて、稼働状態の変圧器の振動応答を解析する技術について研究しており、以下の特許文献１〜３に記載の如く種々の解析手段を提案している。
【０００４】
特許文献１では、稼働状態の変圧器振動について、低周波数領域から可聴音領域に検出感度を有する振動検出器を用い、電子回路またはソフトウエアを用いた信号処理手段を用いて稼働状態の変圧器に付加されている通電電流により生じる電磁力に起因して稼働中の変圧器から発生する種々の振動の固有振動数または変圧器に対する通電電流による加振力の位相を基準とする機械的振動の位相あるいはそれらの両方を求め、稼働状態の変圧器の振動応答を解析する技術を提供した。
【０００５】
特許文献２では、時間の関数である信号を連続的または断続的に取得する取得手段と、取得した信号の複素周波数スペクトルを演算して算出する周波数解析手段と、取得した信号を時間と周波数の両面から同時に信号処理を行う時間周波数解析演算手段と、取得した時間を関数とする信号に含まれると推定される雑音成分を除去する雑音成分除去手段と、雑音成分を除去した後の源信号を表示する表示手段を備えた技術を提供した。
【０００６】
特許文献３では、コイル体を構成する巻線と鉄心とこれらを収容するタンクを備えた変 圧器の内部異常および劣化の診断方法であって、タ ンクが底壁と周壁と天板とからなる箱体であって、巻線に通電して変圧器を稼働している間に、変圧器の稼働に支障のない打撃力でタンクの天板をハ ンマーで叩いて得られる機械的振動に基づき、該機械的振動の固有振動数の変化を基に稼働状態の変圧器の振動応答を解析する技術を提供した。
【先行技術文献】
【特許文献】
【０００７】
【特許文献１】特開２０１７−１０６８９３号公報
【特許文献２】特開２０１８−３６１１３号公報
【特許文献３】特開２０１８−９６７０６号公報
【発明の概要】
【発明が解決しようとする課題】
【０００８】
ところで、変圧器タンク振動は以下の成分から成ると考えられる。
Ａ. 電源由来の振動成分
Ｂ. 変圧器の構造由来の振動成分
（１）タンク固有振動
（ａ）タンク測定面固有振動
（ｂ）タンク隣接面固有振動
（ｃ）タンク立体固有振動
（２）巻線固有振動
（３）鉄心固有振動
（４）その他、配線などの内部構造振動
Ｃ. 変圧器設置建屋振動成分
これらの中で、巻線固有振動数を調べることで巻線の異常および劣化診断が可能であり、鉄心固有振動数を調べることで鉄心の異常および劣化診断が可能であると上述の特許文献１に記載されている。
【０００９】
特許文献１において、巻線や鉄心の固有振動数を求める方法として、位相差を測定して求める方法と固有振動数を直接求める方法を示している。
特許文献１において、位相差を測定して求める方法とは、電源由来の振動成分の位相と電源電流波形の位相との差を測定する方法であり、巻線や鉄心の固有振動数が電源周波数の何倍波に近い振動数を持つのか検討しておくことが良い、と記載されているが、その検討方法は示されていない。
【００１０】
特許文献１において、固有振動数を直接求める方法について、構造由来の振動成分のうち、タンク固有振動を除外し、残った振動成分のうち負荷率依存性があるものを巻線振動、負荷率依存性が無いものを鉄心振動と解析するといった手順が記載されているが、構造由来の振動成分は数限りなく存在し、どの周波数成分に着目すべきか選び出すのは容易ではない。
【００１１】
特許文献２は特定の固有振動数についての信号処理方法について述べたものであるが、どの周波数成分に着目すべきか信号処理だけでは判断がつかない。
【００１２】
特許文献３において、変圧器の天板をハンマリングし、巻線や鉄心の固有振動数を測定することを述べた。変圧器の各所に加速度センサを設置し、変位と位相を測定して鉄心の振動モードを測定する方法を述べたが、巻線の振動モードの測定方法については述べられていない。
【００１３】
そこで、本発明の課題は、変圧器の振動特性を測定し、巻線の固有振動数と固有振動モードを推定して変圧器内部の異常や劣化を診断する方法と装置を提供することと、内部の異常や劣化を診断することが容易な変圧器の製造販売方法を提供することである。
【課題を解決するための手段】
【００１４】
（１）本発明の変圧器内部異常および劣化の診断方法は、コイル体を構成する巻線と鉄心とこれらを収容するタンクを備えた変圧器の内部異常および劣化の診断方法であって、前記タンクを構成する底板と側板と天板のいずれかまたは複数に複数の加速度センサを設置し、前記加速度センサから得られる情報を基に、前記タンクの振動を肉眼で視覚可能となるように時間分割して表示装置にアニメーション表示し、この表示内容の把握から、前記巻線の振動モードまたは前記鉄心の振動モードに特徴的な固有振動を拾い出し、前記固有振動数の変化を基に稼働状態の変圧器の振動応答を解析することを特徴とする。
【００１５】
（２）本発明の変圧器内部異常および劣化の診断方法は、コイル体を構成する巻線と鉄心とこれらを収容するタンクを備えた変圧器の内部異常および劣化の診断方法であって、前記タンクを構成する底板と側板と天板のいずれかまたは複数に加速度センサを設置し、前記巻線に通電して前記変圧器を稼働している間に、前記加速度センサにより振動を測定し、前記底板と天板が逆位相で振動し、かつ側板に比較して底板と天板がともに大きな振動を示す固有振動を巻線の縦振動モードと推定し、該縦振動の固有振動数の変化を基に稼働状態の変圧器の振動応答を解析することを特徴とする。
【００１６】
（３）本発明の変圧器内部異常および劣化の診断方法は、コイル体を構成する巻線と鉄心とこれらを収容するタンクを備えた変圧器の内部異常および劣化の診断方法であって、前記タンクを構成する底板と側板と天板のいずれかまたは複数に１つまたは複数の加速度センサを設置し、前記巻線に通電して前記変圧器を稼働している間に前記加速度センサにより振動を測定し、前記底板と側板と天板のいずれかに現れる変位から前記鉄心の特定方向の曲げモードであるか前記鉄心のねじりモードであるかを推定し、前記モードを推定した固有振動数の変化を基に前記稼働状態の変圧器の振動応答を解析することを特徴とする。
【００１７】
（４）本発明の変圧器内部異常および劣化の診断方法は、コイル体を構成する巻線と鉄心とこれらを収容するタンクを備えた変圧器の内部異常および劣化の診断方法であって、前記タンクを構成する底板と側板と天板のいずれかまたは複数に加速度センサを設置し、前記変圧器の稼働に支障のない打撃力で前記底板または天板をハンマリングした結果得られる振動を測定し、前記底板と天板が逆位相で振動し、かつ側板に比較して底板と天板がともに大きな振動を示す固有振動を巻線の縦振動モードと推定し、該縦振動の固有振動数の変化を基に稼働状態の変圧器の振動応答を解析することを特徴とする。
【００１８】
（５）本発明の変圧器内部異常および劣化の診断方法は、コイル体を構成する巻線と鉄心とこれらを収容するタンクを備えた変圧器の内部異常および劣化の診断方法であって、前記タンクを構成する底板と側板と天板のいずれかまたは複数に加速度センサを設置し、前記変圧器の稼働に支障のない打撃力で前記底板または天板をハンマリングした結果得られる振動を測定し、前記底板と側板と天板のいずれかに現れる変位から前記鉄心の特定方向の曲げモードであるか前記鉄心のねじりモードであるかを推定し、前記モードを推定した固有振動数の変化を基に前記稼働状態の変圧器の振動応答を解析することを特徴とする。
【００１９】
（６）本発明の変圧器内部異常および劣化の診断方法において、先に求めた縦振動モードの固有振動数を健全な変圧器の縦振動モードの固有振動数と比較してその差異により変圧器の内部異常や劣化を診断することができる。
（７）本発明に係る変圧器の製造販売方法は、コイル体を構成する巻線と鉄心とこれらを収容するタンクを備えた変圧器を製造する場合、前記巻線を備えたコイル体と鉄心をタンクに収容して変圧器を製造した後、前記巻線や鉄心の振動モードと固有振動数を測定し、これらの測定値を変圧器の巻線や巻線の固有振動数および振動モードの正常値として記録するとともに、前記巻線や鉄心を強制的に変形させた場合の変形度合と前記固有振動数および振動モードの関係を変圧器の固有振動数および振動モードの異常値として記録しておき、変圧器を設置して稼働した後に前記巻線や鉄心の固有振動数と振動モードを測定し、この測定結果を前記正常値あるいは前記異常値と比較して変圧器の内部異常や劣化診断を可能とすることを特徴とする。
【００２０】
（８）本発明の変圧器内部異常および劣化の診断装置は、コイル体を構成する巻線と鉄心とこれらを収容するタンクを備えた変圧器の内部異常および劣化の診断装置であって、前記タンクを構成する底板と側板と天板のいずれかまたは複数に取り付けられる複数の加速度センサと、前記１つまたは複数の加速度センサから得られる情報を基に、前記タンクの振動を肉眼で視覚可能となるように時間分割して表示装置に送る演算装置と、該演算装置から送られた信号を基に前記タンクの振動をアニメーション表示する表示装置と、この表示内容の把握から、前記巻線の振動モードまたは前記鉄心の振動モードに特徴的な固有振動を拾い出し、前記固有振動数の変化を基に稼働状態の変圧器の振動応答を解析する演算装置を備えたことを特徴とする。
【００２１】
（９）本発明の変圧器内部異常および劣化の診断装置において、前記演算装置に、前記底板と天板が逆位相で振動し、かつ側板に比較して底板と天板がともに大きな振動を示す固有振動を巻線の縦振動モードと推定し、該縦振動の固有振動数の変化を基に稼働状態の変圧器の振動応答を解析する機能を備えたことが好ましい。
（１０）本発明の変圧器内部異常および劣化の診断装置において、前記演算装置に、前記底板と側板と天板のいずれかに現れる変位から前記鉄心の特定方向の曲げモードであるか前記鉄心のねじりモードであるかを推定し、前記モードを推定した固有振動数の変化を基に前記稼働状態の変圧器の振動応答を解析する機能を備えたことが好ましい。
【００２２】
（１１）本発明の変圧器内部異常および劣化の診断装置において、（９）において求めた前記縦振動モードの固有振動数を健全な変圧器の縦振動モードの固有振動数と比較してその差異により変圧器の内部異常や劣化を診断する機能を備えたことが好ましい。
（１２）本発明の変圧器内部異常および劣化の診断装置において、（１０）において求めた前記鉄心の特定方向の曲げモードと前記鉄心のねじりモードのいずれかまたは両方を健全な変圧器の縦振動モードの固有振動数と比較してその差異により変圧器の内部異常や劣化を診断する機能を備えたことが好ましい。
【発明の効果】
【００２３】
本発明の診断方法と診断装置によれば、稼働時の変圧器タンクに取り付けた複数の加速度センサから得られる変圧器タンクの振動を肉眼で視覚可能となるように時間分割して表示装置にアニメーション表示し、この表示内容の把握から、巻線の振動モードまたは鉄心の振動モードに特徴的な固有振動を拾い出し、固有振動数の変化を基に稼働状態の変圧器の振動応答を解析することができる。
【００２４】
本発明の診断方法と診断装置によれば、稼働時に計測できるタンクの底板と天板が逆位相で振動し側板振動よりも大きな振動を巻線の縦振動モードと推定することができ、この巻線縦振動の固有振動数を基に稼動状態の変圧器の内部異常または劣化を診断できる。
変圧器において、健全な変圧器で上述の巻線縦振動の固有振動数を把握しておけば、上述のごとく測定した変圧器の巻線縦振動の固有振動数との比較を行い、乖離が大きければ稼動状態の変圧器の内部異常または劣化発生と診断できる。
【００２５】
本発明の診断方法と診断装置によれば、稼働時に計測できるタンク底板と側板と天板のいずれかに現れる変位から鉄心の特定方向の曲げモードであるか鉄心のねじりモードであるかを推定し、前記モードを推定した固有振動数の変化を基に前記稼働状態の変圧器の振動応答を解析することにより、稼動状態の変圧器の内部異常または劣化を診断できる。
変圧器において、健全な変圧器で上述の鉄心の曲げモードあるいは上述の鉄心のねじりモードの固有振動を把握しておけば、上述のごとく測定した変圧器の各モードの固有振動との比較を行い、乖離が大きければ稼動状態の変圧器の内部異常または劣化発生と診断できる。
【００２６】
また、変圧器について、インパクトハンマーにより変圧器の天板あるいは底板から変圧器に稼働に支障ない範囲で打撃を加え、計測結果から巻線の縦振動モードと固有振動数あるいは鉄心の特定の方向の振動モードあるいはねじりモードの固有振動数を求めることで、上述の場合と同様に稼動状態の変圧器の内部異常または劣化を診断できる。
また、変圧器を製造した場合、巻線や鉄心の振動モードを求め、その固有振動数を正常値として測定し、記録するとともに、巻線や鉄心を強制的に変形させた状態の巻線の振動モードと固有振動数を異常値として測定し、記録しておくことで、稼働後の変圧器の該当振動モードと固有周波数を測定し、前記正常値および異常値と比較することで稼働後の変圧器の異常や劣化の診断が可能になる。
【図面の簡単な説明】
【００２７】
【図１】（ａ）は本発明に係る診断装置の一例を示す構成図、（ｂ）は同診断装置で診断対象とする変圧器の全体構造と内部構造の一例を示す斜視図。
【図２】（ａ）は同変圧器に対する加速度センサの取り付け位置の概要について示す説明図、（ｂ）は同変圧器の内部に設けられているコイル体の内部構造の一例を示す部分断面図。
【図３】同変圧器に対し３１個の加速度センサを取り付けた位置の具体例を示す説明図。
【図４】上述の３１個の加速度センサを備えた変圧器を稼働しながら測定した結果に対し解析ソフトを用いて高速フーリエ変換した結果（ＦＦＴ結果）を重ねて示すグラフ。
【図５】（ａ）は同変圧器の１６２Ｈｚピークの振動モードについて長辺側の側板を斜め方向から見た場合の１周期分の振動の様子を９等分して示す際の初期状態を示す図、（ｂ）は同第１番目の図、（ｃ）は同第２番目の図。
【図６】（ｄ）は同９等分して示す際の第３番目の図、（ｅ）は同第４番目の図、（ｆ）は同第５番目の図。
【図７】（ｇ）は同９等分して示す際の第６番目の図、（ｈ）は同第７番目の図、（ｉ）は同第８番目の図。
【図８】（ａ）は１６２Ｈｚピークの振動モードについて同変圧器の短辺側の側板を斜め方向から見た場合の１周期分の振動の様子を８等分して示す際の初期状態を示す図、（ｂ）は第１番目の図。
【図９】（ｃ）は同８等分して示す際の第２番目の図、（ｄ）は第３番目の図。
【図１０】（ｅ）は同８等分して示す際の第４番目の図、（ｆ）は第５番目の図。
【図１１】（ｇ）は同８等分して示す際の第６番目の図、（ｈ）は第７番目の図。
【図１２】（ａ）は２２８Ｈｚピークの振動モードについて同変圧器の長辺側の側板を斜め方向から見た場合の１周期分の振動の様子を８等分して示す際の初期状態を示す図、（ｂ）は第１番目の図、（ｃ）は第２番目の図。
【図１３】（ｄ）は同８等分して示す際の第３番目の図、（ｅ）は第４番目の図、（ｆ）は第５番目の図。
【図１４】（ｇ）は同８等分して示す際の第６番目の図、（ｈ）は第４番目の図、（ｆ）は第７番目の図。
【図１５】（ａ）は３８８Ｈｚピークの振動モードについて同変圧器の長辺側の側板を斜め方向から見た場合の１周期分の振動の様子を９等分して示す際の初期状態の図、（ｂ）は同第１番目の図、（ｃ）は同第２番目の図。
【図１６】（ｄ）は同９等分して示す際の第３番目の図、（ｅ）は同第４番目の図、（ｆ）は同第５番目の図。
【図１７】（ｇ）は同９等分して示す際の第６番目の図、（ｈ）は同第７番目の図、（ｉ）は同第８番目の図。
【図１８】（ａ）は３８８Ｈｚピークの振動モードについて同変圧器の短辺側の側板を斜め方向から見た場合の１周期分の振動の様子を８等分して示す際の初期状態を示す図、（ｂ）は第１番目の図。
【図１９】（ｃ）は同８等分して示す際の第２番目の図、（ｄ）は第３番目の図。
【図２０】（ｅ）は同８等分して示す際の第４番目の図、（ｆ）は第５番目の図。
【図２１】（ｇ）は同８等分して示す際の第６番目の図、（ｈ）は第７番目の図。
【図２２】（ａ）は同変圧器の１３Ｈｚピークの振動モードについて長辺側の側板を見た場合の１周期分の振動の様子を８等分して示す際の初期状態を示す図、（ｂ）は同第１番目の図、（ｃ）は同第２番目の図。
【図２３】（ｄ）は同８等分して示す際の第３番目の図、（ｅ）は同第４番目の図、（ｆ）は同第５番目の図。
【図２４】（ｇ）は同８等分して示す際の第６番目の図、（ｈ）は同第７番目の図。
【図２５】変圧器の底板をハンマリングによりインパクト試験した場合の測定結果の一例を示すグラフ。
【図２６】変圧器の底板をハンマリングによりインパクト試験した場合の測定結果の他の例を示すグラフ。
【図２７】（ａ）は同変圧器の１７Ｈｚピークの振動モードについて長辺側の側板を見た場合の１周期分の振動の様子を８等分して示す際の初期状態を示す図、（ｂ）は同第１番目の図、（ｃ）は同第２番目の図。
【図２８】（ｄ）は同８等分して示す際の第３番目の図、（ｅ）は同第４番目の図、（ｆ）は同第５番目の図。
【図２９】（ｇ）は同８等分して示す際の第６番目の図、（ｈ）は同第７番目の図。
【図３０】（ａ）は同変圧器の３８Ｈｚピークの振動モードについて長辺側の側板を見た場合の１周期分の振動の様子を８等分して示す際の初期状態を示す図、（ｂ）は同第１番目の図、（ｃ）は同第２番目の図。
【図３１】（ｄ）は同８等分して示す際の第３番目の図、（ｅ）は同第４番目の図、（ｆ）は同第５番目の図。
【図３２】（ｇ）は同８等分して示す際の第６番目の図、（ｈ）は同第７番目の図。
【図３３】（ａ）は同変圧器の１８４Ｈｚピークの振動モードについて長辺側の側板を見た場合の１周期分の振動の様子を８等分して示す際の初期状態を示す図、（ｂ）は同第１番目の図、（ｃ）は同第２番目の図。
【図３４】（ｄ）は同８等分して示す際の第３番目の図、（ｅ）は同第４番目の図、（ｆ）は同第５番目の図。
【図３５】（ｇ）は同８等分して示す際の第６番目の図、（ｈ）は同第７番目の図。
【図３６】鉄心のモードを示す図であり、（ａ）はＸ方向曲げモードを示す斜視図、（ｂ）はＹ方向曲げモードを示す斜視図、（ｃ）はねじりモードを示す斜視図。
【図３７】同変圧器に対し取り付けた加速度センサのうち、解析のために８個の加速度センサを用いた場合の具体例を示す説明図。
【図３８】本発明に係る診断方法の一例を示すフローチャート。
【図３９】（ａ）は変圧器巻線のうちディスク巻線の一例構造を示す図、（ｂ）は変圧器巻線のコイルを軸方向に一様なものと近似して分布定数系とみなしたモデルを示す図。
【図４０】変圧器巻線に関し、両端が固定された弦と仮定して縦方向をｘ、横方向をｙとした座標系で考える場合の説明図。
【図４１】時刻ｔにおける座標ｘの位置の変位をｙ（ｘ，ｔ）と仮定し、運動方程式を導くため、微小要素に働く力を考えるための説明図。
【図４２】上述の運動方程式を導くため、断面積Ｓの微小要素に働く力を考えるための説明図。
【図４３】変圧器のスペーサーに用いるプレスボードの圧縮ひずみ特性例を示す図。
【図４４】変圧器のスペーサーの収縮と締付け力の低下と弾性率の低下の関係を示す図。
【発明を実施するための形態】
【００２８】
＜第１実施形態＞
以下、本発明に係る変圧器の内部異常および劣化の診断方法の第１実施形態について油入変圧器の場合を例にとり、図面に基づき説明する。
図１（ａ）は変圧器の内部異常および劣化を診断する装置の第１実施形態を示す構成図であり、本実施形態の診断装置Ａは、一例として図１（ｂ）に示す構造の油入変圧器（以下、単に変圧器と記載する。）１の内部異常および劣化を診断する装置である。
この例の変圧器１は、タンク２の内部に３つの巻線型のコイル体３がそれらの中心軸を上下に向けて収容され、タンク２の内部に絶縁油が満たされてなる。各コイル体３の中心部にケイ素鋼板などの磁性体からなる鉄心５が挿通され、各鉄心５は各々の上下端部においてケイ素鋼板などの磁性体からなるロッド状のヨーク部６に一体化されている。
図１（ｂ）に示す変圧器１はタンク２の内部に収容されているコイル体などの構造物をタンク２から取り出した状態として描いている。
【００２９】
各鉄心５の両端部とヨーク部６の周囲を囲むように図示略の枠状の締め金部が設けられ、上下の締め金部に図２（ｂ）に示す締め付け金具８が延出形成され、上下の締め付け金具８により各コイル体３が上下から挟まれ、各コイル体３に締め付け力が付加されている。
この例の変圧器１において、３つのコイル体３は、図１（ｂ）に例示するように左側から順にＵ相用、Ｖ相用、Ｗ相用などとして配列されている。３つのコイル体３はそれらの周囲に８本整列された支柱部材７に囲まれ、これら支柱部材７の底部側を結合した底部枠７ａとこれら支柱部材７の上部側を結合した上部枠７ｂに囲まれている。また、各支柱部材７の上端部は上部枠７ｂの若干上方まで延在され、天板４に一体化され、これら全体を覆うタンク２に収容されている。
【００３０】
本実施形態においてコイル体３は、例えば図２（ｂ）に示すように外側コイル９と内側コイル１０からなり、外側コイル（１次コイル）９は外巻線（１次巻線）１１と絶縁スペーサー（固体絶縁物）１２を上下に積層した積層体を上部絶縁体１３と下部絶縁体１５により挟み付けて構成されている。内側コイル（２次コイル）１０は内巻線（２次巻線）１６と絶縁スペーサー（固体絶縁物）１７を上下に積層した積層体を上部絶縁物１８と下部絶縁物１９で挟み付けて構成されている。
上部絶縁物１３、１８と下部絶縁物１５、１９を上下の締め付け金具８により挟み付けることで各コイル体３には上下から締め付け力が作用され、この状態でコイル体３は絶縁油に浸漬されている。
また、タンク２の天井またはタンク側面に電力を入出力するための図示略のブッシングが形成されている。
【００３１】
前記構成の変圧器１は、送電線などから送られる高電圧を電力使用者の近くで降圧する用途などに使用されるので、巻線１１、１６には常時電流が流されている。巻線１１、１６に電流を流すことで電磁力が作用するので、コイル体３や鉄心５には電磁力が作用し、これらが振動する。この振動は変圧器１の全体に伝わり、タンク２の側板２Ａや底板２Ｂ、天板２Ｃにも伝達される。
【００３２】
また、送電線で短絡事故や地絡事故などが起きると変圧器１の巻線には定格負荷電流の１０倍から数１０倍に達する大きな電流が流れることがあり、規格以上の電磁力と振動が変圧器１に作用することもある。
これら種々の要因から、変圧器１の絶縁物は経時的に徐々に劣化が進行する。また、締め付け力と振動が常時作用するプレスボードなどの絶縁スペーサーはセルロース繊維からなるため、劣化するおそれがあり、短絡事故や地絡事故あるいは加熱などに起因して巻線や鉄心にも予想外の劣化を生じるおそれがある。
以上説明のように変圧器１は長期間使用することにより各部において劣化が進行するおそれがある。
【００３３】
図１（ａ）に示す変圧器の内部異常および劣化の診断装置Ａは、変圧器１に沿わせて配置される振動検出器（加速度センサ）２２と、この振動検出器２２からの出力信号を受けて増幅する増幅器（加速度センサンプ）２５とこの増幅器２５からの出力を受ける信号解析器（位相差検出器）２６とこの信号解析器２６に接続された演算装置２７を主体として構成されている。診断装置Ａにおいて、変圧器１に通電するための電圧を計測する電圧計（通電電圧計）２３とこの電圧計２３に増幅器（通電電圧アンプ）２４を介し信号解析器２６が接続されている。
なお、変圧器１には後述するように複数（３１個）の加速度センサを取り付けるが、図１（ａ）は診断装置Ａの概要を示した図であるので、変圧器１に取り付けた加速度センサを１個のみとして簡略化して描いた。
【００３４】
図１（ａ）に示す診断装置Ａを用いて以下に説明する手順で変圧器１の振動を解析するが、本実施形態の診断装置Ａが変圧器１の内部異常および劣化の診断を行う場合に用いる実験モード解析に従う基本理論については、先に本発明者らが特許出願している特許文献１（特開２０１７−１０６８９３号公報）の段落００２１〜００９５に記載されているので、ここでは詳細説明を省略する。
特許文献１の段落００９１に記載の（３８）式で示しているように巻線の固有振動数と締め付け力には以下のΩｒ＝（π／Ｌ）・（Ｔ／ρ）１／２の関係がある。ただしこの式において、Ｌは巻線の軸方向の長さ、Ｔは縦方向の締め付け力、ρは巻線を分布常数系とみなした場合の線密度を表す。
【００３５】
変圧器１のコイル体３を構成する巻線は、セルロース絶縁紙により絶縁され、プレスボードに装着されているが、締め付け力が低下するのは、セルロース絶縁紙やプレスボードが劣化して変化することが要因となる。
従って、変圧器１を製造した際あるいは使用開始段階等で変圧器１に問題を生じていないと判断される健全な状態において、巻線の振動解析を行い、振動モードおよび固有振動数を求めておき、変圧器１を稼働後は数年後あるいは定期的に振動解析検査を行って、稼働中の変圧器１の振動モードおよび固有振動数を求め、健全な状態と対比し、その差異を把握することにより、変圧器１の内部異常あるいは劣化診断ができる。
【００３６】
変圧器１の振動・騒音の一次的原因は鉄心の振動と巻線の振動であり、両者の振動がタンク、その他に伝搬する。よって、変圧器１においてタンク２の振動は鉄心振動と巻線振動とタンク自身の振動の合成となる。鉄心の状態を診断する場合は通電騒音振動のうち、鉄心振動成分を評価し、巻線の状態を診断する場合は巻線振動成分を評価する。鉄心振動と巻線振動はそれぞれ固有振動数を有する。
【００３７】
固有振動数が電源系の振動数に近いと共鳴現象が起きる。加振力は電源周波数の２倍成分が最も大きいが、電源周波数の奇数倍または偶数倍の加振力も存在し、鉄心振動や巻線振動やタンク振動の固有振動数が電源周波数の２倍以外の整数倍に近い場合には、電源周波数の２倍成分の振動よりも大きな振幅を生じる場合がある。電源系の加振力に対する機械系の固有振動数を測定して変圧器内部異常および劣化診断をすることができる。
即ち、変圧器構成物の固有振動数（鉄心振動と巻線振動とタンク自身の振動のそれぞれの固有振動数）を求めると稼働中の変圧器の状態を解析することができる。
【００３８】
「巻線振動の解析」
次に、巻線振動の解析について説明する。
一般的な油入変圧器の寿命は、変圧器の外部で短絡故障が発生した場合に変圧器コイル巻線に加わる電磁機械力にコイルの絶縁紙が耐えられなくなった状態と考えられる。
一方、短絡故障時に巻線の軸方向にも一次巻線（外巻線）１１と二次巻線（内巻線）１６が反発する電磁力（外部推力）が作用する。巻線部に挿入された絶縁物が経年劣化により寸法収縮して、巻線の締付力が低下した場合、外部推力により軸方向の巻線構造が損なわれる可能性が生じる。このような状態も変圧器の寿命と考えられる。締付け力が低下して巻線に緩みが生じると巻線からの騒音は大きくなる。
変圧器の各部位の締付けトルク値が規定値よりも小さくなると、正常時の各周波数成分のレベルが分布する範囲から大きく外れたレベルになると考えられる。
【００３９】
次に、変圧器の巻線に印加される加振力について説明する。
変圧器巻線の内巻線１６と外巻線１１には反対方向に電流が流れており、たがいに漏れ磁場を形成する。巻線に印加される電磁力はローレンツ力であり、電流と磁界にそれぞれ直角方向に作用する。軸方向の電磁力は内巻線１６も外巻線１１もともに圧縮力となり、電磁力は電流の２乗に比例する。よって、軸方向の加振力の振動数は電流の振動数（すなわち電源周波数）の２倍となる。
巻線の締付け力の低下は巻線の固有振動数の変化として現れる。よって、実験モード解析により、直接的あるいは後述の補償法を用いて巻線振動に含まれる振動成分を明らかにすれば良い。直接的とは、加速度センサや加速度センサなどの加速度センサにおける生の波形をフーリエ変換して振動成分を明らかにすることを意味する。
【００４０】
変圧器が比較的新品に近い場合、または新品の場合、巻線締付け力は十分に大きく、振動が発生しにくくなっている。その場合、固有振動数に関係する振動は発生せず、無周期の減衰運動になる。その結果、強制振動が与えられても強制振動の振動数以外の振動成分は発生しなくなる。そのような場合でも、位相遅れを測定する方法であれば、固有振動数に関する情報が得られる。
【００４１】
図１（ａ）に示す解析器２６と演算装置２７はパーソナルコンピューターから構成され、演算装置２７がＣＰＵであり、メモリやハードディスクなどの記憶装置が解析器２６に搭載され、解析器２６の記憶装置に健全な初期状態などの未劣化状態の変圧器の巻線振動の解析結果情報が記憶されている。測定結果から得られる巻線の固有振動数などの情報が解析器２６の記憶装置に記録され、健全な初期状態の巻線振動の解析情報との対比がなされる。なお、演算装置２７には表示装置２８が接続されていて、演算装置２７が演算した結果を画像表示できるように構成されている。表示装置２８に表示される演算結果については後述する。
解析器２６の記憶装置に健全な初期状態の変圧器の解析情報に対し、何割程度の低下が見られるかに応じて対比テーブルが記録されている。
【００４２】
実際に測定され、演算装置２７により計算された巻線振動の解析結果が、初期状態に対し低下していることが判明した場合に、当該変圧器１の劣化度が寿命に達したか否か診断される。診断の基準値は変圧器ごとに個別に設定する。診断の基準値を解析器２６の記憶装置に記録しておき、演算装置２７の測定結果とテーブルを対比判断することにより変圧器の寿命を診断できる。
【００４３】
位相差から機械系の固有振動数を求める場合、巻線部に使用されている絶縁物の劣化が軽度の場合は電源周波数の２倍の振動（２倍振動）が主な変圧器振動であり、２倍振動の位相差に着目して解析するのが良い。
ただし、機械系の固有振動数が電源周波数の２倍の振動数とは別な整数倍の振動数に近い場合、共鳴の効果でより大きな振動振幅を与える場合があり、その場合はその大きな振幅の振動数成分について解析する方が良い場合もある。
【００４４】
締付け力が低下すると、巻線の軸方向に作用する電磁力に加え、巻線の半径方向に作用する電磁力による振動も発生すると考えられ、変圧器の劣化が進行すると、高次の振動成分の振幅が大きくなると考えられる。そこで、劣化が進んだ変圧器については高次の振動成分の振幅に着目して解析することが有効である。
【００４５】
巻線の高次の固有振動モードによる過渡振動は以下に説明する方法により求めることができる。
劣化が進んだ変圧器で巻線締付け力が弱くなってくると、巻線に緩みが生じ、変圧器を稼働している場合に生じる単振動の加振力が歪んで、伝達され、色々なモードの振動が誘起されると考えられる。
このため、変圧器１の天板と側板と底板に複数の加速度センサを取り付け、種々の振動を検出して解析することにより、変圧器１の劣化に起因して生じている特定の振動を検出し、それが巻線による振動であると特定できると、変圧器の内部異常および劣化を推定することができる。
【００４６】
２倍振動振幅に対しより高次の振動成分の振幅が大きくなることを捉えて巻線部に使用されている絶縁物が劣化していると診断することができる。この場合、高次の振動成分は歪んで伝達された加振力により決まった位相遅れを有するようになると考えられる。
【００４７】
そこで、本実施形態では変圧器１の長辺側の側板２Ａと底板２Ｂと天板２Ｃに対し、コイル体３の振動において縦振動をできるだけ正確に検知できるようにコイル体３の上下に位置するように加速度センサを取り付けることが好ましい。図１（ｂ）では記載の簡略化のために３基のコイル３の上方の天井版４にのみ加速度センサＡＥ１、ＡＥ２、ＡＥ３を設けた例を示した。このように加速度センサを３つのコイル体３の上方に設けることで、後述する巻線の縦振動を計測することができる。
【００４８】
次に、実際に長期間稼働した変圧器に対し、側板２Ａと底板２Ｂと天板２Ｃに加速度センサを取り付ける場合の一例について図２（ａ）を用いて説明する。
例えば図２（ａ）に示すように直方体状の鋼板製のタンクを備えた変圧器１について振動解析する場合がある。
この場合、底板２Ｂの下面と、天板２Ｃの上面に加速度センサを取り付けた上に、側板２Ａを周回する位置に複数の加速度センサを取り付けることができる。
側板２Ａにおいて、例えば、図２（ａ）に示すように、○で囲んだ数字で示す１〜４の位置に個別に加速度センサを取り付けることができる。
【００４９】
本発明者は変圧器１の振動を詳細に解析するために、図３に示すような形状であり、実際に５０Ｈｚで３２年稼働した（定格電流比３０％）の油入変圧器（３相、定格容量６．７８ＭＶＡ、１次側２２ｋＶ、２次電圧１．２ｋＶ、窒素密封型変圧器）のタンクに、３１個の加速度センサを取り付けた測定用サンプル変圧器を用意した。このサンプル変圧器を商用周波数で稼働させ、サンプル変圧器の立体振動モードを計測することとした。
図３では、加速度センサの取り付け位置を優先して表示するため、サンプル変圧器の具体形状を簡略化して概形のみ記載している。
【００５０】
サンプル変圧器Ｓとしたのは、３つのコイル体を収容した箱状の本体部４０の上に左右両端側からはみ出すように天板４１が設けられた変圧器である。このサンプル変圧器のサイズは、高さ約２６５ｃｍ、幅２４０ｃｍ、奥行き８６ｃｍである。その他各部の寸法を図２（ａ）に示した。
【００５１】
サンプル変圧器Ｓの底板と側板と天板に対し、図３の矩形状の□で囲んだ１〜３１の数字が示すように３１個の加速度センサを各所に取り付けた。
図３に示す小さい○印は、矩形箱状の本体部４０を構成する短辺側の側板４５、４６と長辺側の側板４７、４８をそれぞれ等分した場合の区分印を示す。図３の右短辺側の側板４５には、第１の加速度センサ、第２の加速度センサ、第３１の加速度センサを取り付け、左側の側板４６には第３の加速度センサと第４の加速度センサを取り付けた。小さい○印で示す区分印の個数から各加速度センサの取り付け位置を示す。
【００５２】
例えば、図３の右短辺側の側板４５は区分印により縦方向（高さ方向）に７等分され、横方向（水平方向）に９等分されているので、第１の加速度センサは、短辺側の側板４５を縦方向に７等分した場合の１／７の高さ位置であり、側板４５を幅方向に９等分した位置において長辺側の側板４７に近い端部位置から３／９の位置に取り付けている。
【００５３】
図３の手前長辺側の側板４７には、図３に示すように第１３〜第２０の加速度センサを取り付けた。区分印は、長辺側の側板４７を幅方向（左右方向）に２４等分しているので、一例として第１５の加速度センサは、側板４７の１／７の高さ位置であって、側板の横方向に左短辺側の側壁４６の境界位置から２／２４の位置に取り付けた。その他の加速度センサの取付位置は図３に示した通りであるので、それら加速度センサの取付位置の詳細説明は省略する。
【００５４】
底板５０に対し第２１の加速度センサ〜第２６の加速度センサを取り付けた。第２１の加速度センサ、第２３の加速度センサ、第２５の加速度センサの取り付け位置は、コイル体３の下方に位置するように、かつ、図３に示す底板５０の奥側の長辺から１５ｃｍだけ離れた位置に設置した。
第２２の加速度センサ、第２４の加速度センサ、第２６の加速度センサの取付位置は、コイル体３の下方に位置するように、かつ、図３に示す底板５０の手前側の長辺から１５ｃｍだけ離れた位置とした。
【００５５】
天板４１の上には第２７の加速度センサを底板側の第２１の加速度センサの真上に位置するように設置し、第２９の加速度センサを底板側の第２５の加速度センサの真上に位置するように設置した。
図３に示すサンプル変圧器Ｓにおいて長辺側の側面４７の上方に位置する天板４１の側面側に第２８の加速度センサと第３０の加速度センサを取り付けた。
その他の加速度センサの取付位置は図３に数字で示しているので、それらの詳細な位置説明は略するが、奥側の側板４８に第５〜第１２の加速度センサを取り
付けた。
【００５６】
以上説明のサンプル変圧器Ｓについて、巻線に５０Ｈｚの商用周波数で通電して稼働中に上述の３１個の加速度センサが検出した３１点の実稼働振動のＦＦＴ結果（高速フーリエ解析結果）を３１点重ねて表示した結果を図４に示す。解析ソフトは、「ME’scope VES」を用いている。サンプル変圧器は定格電流比３０％の稼働状態で各点１２０秒振動測定した結果である。
図４の横軸は周波数（０〜４００Ｈｚ）を示し、縦軸はＦＦＴ結果を示す規格化振動強度を対数表示している。
演算装置２７に接続された表示装置２８は解析ソフトによる図４に示す解析結果を表示することができる。
【００５７】
図４に示す振動について周波数毎のピークを分析した結果を以下に示す。なお、図４は３１個の加速度センサが計測した全ての周波数の振動を解析した結果を１つのグラフに描いたものであるが、計測データは０〜４００Ｈｚの範囲で全ての周波数毎に取得したので、以下の結果説明では、目立った周波数のピークのみ解説した。
【００５８】
５Ｈｚ：Ｘ方向のロッキング
７Ｈｚ：Ｙ方向のロッキング
９Ｈｚ：Ｚ方向伸縮  ＵＶＷのＺ方向位相差１２０度
１３Ｈｚ：Ｚ方向単純振動  底板の（１，１）モードと同期、側板のＸ方向の伸縮あり
１７Ｈｚ：２面、４面のＹ方向伸縮（Ｙ方向曲げモード）  底板（１，１）上下連動
２１Ｈｚ：底板（１，１）振動に加えＹ方向変位大  側板天板がＹ方向に連動
２３Ｈｚ：６面伸縮（呼吸モード）
３８Ｈｚ：Ｘ方向曲げモード
【００５９】
５２Ｈｚと６４Ｈｚ：天板ＵＷ反転固有振動
６９Ｈｚ：２面４面のＹ方向伸縮（Ｙ方向曲げモード）
８５Ｈｚ：３面の固有振動目立つ  ３面固有振動
８８Ｈｚ：底板は（２，２）モードに近く、Ｘ方向位相差あり
１００Ｈｚ：１面３面が（２，２）共鳴  体積不変振動
【００６０】
１１４Ｈｚ：３面固有振動
１２５Ｈｚと１３０Ｈｚ：底板（４，１）固有振動に２面４面が連動
１６２Ｈｚ：底板のＵＶＷに位相差１２０度ある、巻線縦方向伸縮モード
１８４Ｈｚ：ねじりモード
１９３Ｈｚ：１面３面（２，１）、モード連動
【００６１】
２００Ｈｚ：１面（２，１）、モード４面（１，１）、モード連動
２２８Ｈｚ：２面４面のＹ方向伸縮（Ｙ方向曲げモード）底板天板連動なし  ねじれも混じる
２３１Ｈｚ：側板１面〜４面と天板の呼吸モード
２４７Ｈｚ：底板固有振動  残り５面はほとんど変位なし
【００６２】
２５９Ｈｚ：４面と１面の協調振動
２７７Ｈｚ：ねじりモード
２８８Ｈｚと２９２Ｈｚ：底板固有振動  残り５面はほとんど変位なし
３００Ｈｚ：主に１面２面３面が連動して振動
３２３Ｈｚ：底板固有振動  残り５面はほとんど変位なし
３８８Ｈｚ：Ｕ相１面側３面側逆位相の縦方向伸縮モード
以上の解析結果の説明文章において、１面は長辺奥側（裏側）の側板４８を示し、２面は短辺左側の側板４６を示し、３面は長辺手前側の側板４７を示し、４面は短辺右側の側板４５を示す。
【００６３】
「１６２Ｈｚピークの振動モード」
先の振動解析結果において、１６２Ｈｚに現れた振動モードがＵＶＷの３相の位相差１２０度があることが分かったので、巻線縦方向伸縮モードであると判断した。
そして、側板４７側から見た１周期分の振動の様子を９等分して図５（ａ）〜図７（ｉ）に示す。丸印で示した底板に着目すると、図５（ｃ）ではＶ相のコイル体が最大に浮き上がり、図６（ｆ）ではＷ相のコイル体が最大に浮き上がり、図７（ｉ）図ではＵ相のコイル体が最大の浮き上がりを示した。そして、それぞれの位相差が１２０度であることが分かった。
１６２Ｈｚピークの振動モードは、１秒間にこの動きを１６２回行っていることを示している。
【００６４】
演算装置２７は表示装置２８に対し表示信号を送り、先の１周期分の振動の様子を９等分して図５（ａ）〜図７（ｉ）に示した図形を連続アニメーションとして観察者の肉眼で視認できる程度の時間分割した速度で繰り返し表示する機能を有する。このため、観察者は、表示装置２８に表示されている図５（ａ）〜図７（ｉ）に示した図形の立体アニメーション表示から、Ｗ相のコイル体の浮き上がりと、Ｕ相のコイル体の浮き上がりが交互に繰り返される状態であると分析できる。
なお、この１６２Ｈｚのピークには限らないが、高次元のピークを観察し、Ｕ相、Ｖ相、Ｗ相が位相差１２０度で伸縮していると観測できたならば、それが巻線の縦振動モードであると判断できる。
なお、立体アニメーション表示する場合に視認できる程度の時間分割した速度として、１周期を１秒間〜数秒間で表示する速度のアニメーション表示を選択できる。
【００６５】
次に、１６２Ｈｚピークの振動モードについて、２面側（短辺側の側板４６側）から見た１周期分の振動の様子を８等分して図８（ａ）〜図１１（ｈ）に示す。丸印で示したＵ相のコイル体直上とＵ相のコイル体直下に設置した加速度センサ位置（第２７と第２１の加速度センサ）は、図９（ｃ）で最も伸び、図１０（ｆ）で最も縮んでいることから、巻線が上下方向に伸縮している縦振動モードであることが分かる。
表示装置２８には、先の１周期分の振動の様子を８等分して図８（ａ）〜図１１（ｈ）に示した図形を連続アニメーションとして観察者の肉眼で視認できる程度の時間分割した速度で繰り返し表示できる。このため、観察者は、表示装置２８に表示されている図８（ａ）〜図１１（ｈ）に示した図形の立体アニメーション表示から、天板と底板が上下に伸縮している状態を視認でき、この表示から巻線が上下方向に伸縮している状態であると認識できる。
なお、以下に説明する振動解析では、いずれも表示装置２８に表示された８等分あるいは９等分の画像に基づく立体アニメーション表示の視認に基づく解析結果から、各振動の状態を判断し、分析している。
【００６６】
「２２８Ｈｚピークの振動モード」
２２８Ｈｚの振動モードは２面４面のＹ方向伸縮（Ｙ方向曲げモード）にＸ方向のねじれが混じった振動である。１周期分の振動の様子を８等分して図１２（ａ）〜図１４（ｈ）に示す。
【００６７】
図１２（ａ）では、２面と４面（図３に示すように２面は短辺左側の側板４６を示し、４面は短辺右側の側板４５を示す。）が最も膨らんでおり、図１３（ｅ）では逆に最も凹んでいて、Ｙ方向に伸縮していることが分かる。また、４面（図３に示す側板４５）が原点に対し図１２（ａ）ではＸの正方向に最も変位しているのに対し、図１３（ｅ）ではＸの負の方向に最も変位している。ただし、２面（図３に示す側面４６）のＸ方向の変位はあまり大きくない。また、２２８Ｈｚピークの場合、底板や天板、１面と３面はほとんど変位していない。
よって、２２８Ｈｚピークは鉄心のＹ方向伸縮（Ｙ方向曲げモード）が主な振動モードと読み取ることができる。
表示装置２８には、図１２（ａ）〜図１４（ｈ）に示した図形を連続アニメーションとして繰り返し表示できる。このため、観察者は、表示装置２８に表示されている図形の立体アニメーション表示から、Ｙ方向に伸縮している状態を視認でき、Ｙ方向曲げモードが主な振動モードと読み取ることができる。
【００６８】
「３８８Ｈｚピークの振動モード」
３８８Ｈｚの振動モードは基本的には巻線縦方向伸縮モードとみられるが、Ｗ相のコイル体直下の底板の１面側（図３の側板４８）と３面側（図３の側板４７）が逆位相になっている。
３面側から見た１周期分の振動の様子を９等分して図１５（ａ）〜図１７（ｉ）に示す。図１５（ａ）、図１６（ｄ）、図１７（ｇ）に丸印で示した底板の振動に着目すると、図１６（ｄ）ではＶ相が、図１７（ｇ）ではＵ相が最大の浮き上がりであり、位相差が１２０度であるが、図１５（ａ）ではＷ相のコイル体直下の底板の１面側が最大に浮き上がっており３面側は最大に沈み込んでいるので、Ｕ相とＶ相とＷ相の位相差１２０度の縦振動を正確には表現していないと推定される。
【００６９】
周波数が３８８Ｈｚと大きいので高次の振動モードであると考えられることから、第２１の加速度センサ〜第２６の加速度センサのように６つの加速度センサのみで底面の振動を完全に把握することは原理的に不可能であることから、ここでの振動モードの同定は暫定的で考える。
【００７０】
次に２面側から見た１周期分の振動の様子を８等分して図１８（ａ）〜図２１（ｈ）に示す。丸印で示したＵ相のコイル体直上とＵ相のコイル体直下に設置した加速度センサ（第２７と第２１）は図１９（ｃ）で最も伸び、図２１（ｇ）で最も縮んでいることから、巻線が上下方向に伸縮しているモードであるが、図１９（ｃ）と図２１（ｇ）では位相差が１８０度と少しずれている。
【００７１】
「１３Ｈｚピークの振動モード」
３面側から見た１３Ｈｚピークの振動モードについて１周期分の振動の様子を８等分して図２２（ａ）〜図２４（ｈ）に示す。
１３Ｈｚの振動モードはほぼ単純なＺ方向の振動であり、それに加えて底板の（１，１）モードと同期し、側板のＸ方向の伸縮も見られる。
変圧器全体の最大の沈み込みは、図２２（ａ）に、最大の浮き上がりは図２３（ｅ）に示されているが、本来の底板（１，１）モードは、２２Ｈｚが固有振動数であると思われる。図２３（ｅ）において、○印の位置はＸＹＺ方向の原点を示し、変圧器全体が上方に変位していることが判る。
【００７２】
以上の結果をまとめると、変圧器１のタンク２について、複数の箇所に設けた加速度センサの計測結果から、機械系振動数をＭＥ’ｓｃｏｐｅでモード解析した結果、１３ＨｚピークはＺ方向の単純振動、１６２Ｈｚと３８８Ｈｚピークは巻線の縦方向伸縮、２２８Ｈｚピークは鉄心のＹ方向伸縮（Ｙ方向曲げモード）が主な振動モードであると判定できた。
【００７３】
本発明者が先に特許出願した特許文献１に記載の技術では、機械系振動成分を見出す手順は、全体の振動スペクトルから、電源由来の振動、タンク壁面由来の振動、建屋由来の振動を引き算して、残りが機械系振動成分であると仮定した。
しかし、本実施形態で説明したように、変圧器を立体的に振動測定し、ＭＥ’ｓｃｏｐｅでモード解析すれば、巻線の械系振動成分を直接見出すことが可能であることが分かった。
【００７４】
このため、前述のサンプル変圧器Ｓであれば、稼働中に得られる１６２Ｈｚと３８８Ｈｚの縦方向伸縮モードを巻線縦振動モードとして捉えることができるので、これらのデータを固有周波数と振動モードと判断し、変圧器の内部異常および劣化の診断に利用する。
測定対象の変圧器について、製造初期あるいは製造後の異常を生じていない正常状態の変圧器に関し、前記１６２Ｈｚと３８８Ｈｚの縦方向伸縮モードを測定して記録しておく。
これらに対し、前記サンプル変圧器と同等構造ではあるが、変圧器の製造時に巻線や鉄心の締め付け状態を規定の締め付け力から外した状態の試験用変圧器を別途作製し、この試験用変圧器から得られる１６２Ｈｚと３８８Ｈｚの縦方向伸縮モードを計測しておき、この周波数の振動強度などを変圧器の異常値として調査し、記録しておく。
これらのデータの記録は、変圧器を生産して出荷する際に、出荷変圧器用の基礎データとして記録しておき、販売した変圧器と共に使用者に情報として渡しても良いし、変圧器の製造メーカーのデータセンターに保管しておくこともできる。
【００７５】
変圧器を購入した使用者は、変圧器を稼働後、所定の期間が経過したならば、変圧器の天板と底板に加速度センサを取り付けて、１６２Ｈｚと３８８Ｈｚの縦方向伸縮モードを解析し、固有周波数と振動強度を測定する。
この測定結果と先の変圧器生産時などの健全な状態で測定しておいた固有周波数と振動強度の測定結果を比較し、両データに予め決めておいた閾値を超える差異が生じていれば、診断した変圧器は寿命がきているか、内部異常が生じた変圧器であると診断できる。
【００７６】
両方のデータを比較する場合、予め決めておいた閾値は、例えば以下に説明するように決定できる。
変圧器を製造する場合、巻線や鉄心の締め付け状態を規定の締め付け力から外した状態の試験用変圧器を別途作製し、この試験用変圧器から得られる１６２Ｈｚの縦方向伸縮モードを計測しておき、この周波数の振動強度などを変圧器の異常値として調査し、記録しておく。
【００７７】
上述のデータを比較する際、１６２Ｈｚあるいは３８８Ｈｚの縦方向伸縮モードを解析し、固有周波数と振動強度を求めた結果、上述の周波数の振動強度が正常値として記録しておいた数値よりも異常値として記録しておいた数値に近い場合、内部異常が生じている確率が高いか、劣化が進行していると判断できる。両者を比較した場合、異常値と同じ数値が出た場合は、内部異常が生じているか劣化していると判断できる。両者を比較した場合、異常値よりも正常値に近い数値が出た場合、変圧器は多少の劣化はしているものの寿命には達していないと判断できる。
【００７８】
図３に示すサンプル変圧器に対する加速度センサの取付位置は、Ｕ相とＶ相とＷ相のコイル体３に対する完全な上下対称位置ではなく、多少ずれた位置に加速度センサを取り付けている。
このため、上述した３８８Ｈｚの縦方向伸縮モードにおいてＵ相とＶ相とＷ相の位相差１２０度の縦振動を正確には表現していない結果を含んだ結果となったが、加速度センサの取付位置はＵ相とＶ相とＷ相のコイル体３に対し、上下対称な位置とすることがより好ましい。
【００７９】
次に、前述のサンプル変圧器Ｓに対し、強制的に振動を付加し、各加速度センサで振動を計測し、計測結果を解析することで変圧器の内部異常および劣化診断を行う場合について説明する。
この場合、図１（ｂ）に示すインパクトハンマーＨを用い、サンプル変圧器の天板や底板に衝撃を加え、加速度センサで振動を測定するインパクト試験を行うことができる。
一例として、図３に示すサンプル変圧器Ｓの底板に取り付けた第２６の加速度センサの位置から第２５の加速度センサ側に５ｃｍ寄った位置を叩き、第２６の加速度センサで測定するインパクト試験を実施できる。
【００８０】
図２５は定格電流比３０％の実稼働中にインパクトハンマーＨにより上述の位置に衝撃を加えるインパクト試験を行った結果を示す。
なお、インパクト試験により励起される振動は、電源系振動成分（５０Ｈｚの倍数）以外の周波数の振動よりも大きい。このため、電源系振動成分以外の振動成分に対し、実稼働中であってもインパクト試験が可能である。
図２６は、図３に示すサンプル変圧器Ｓの底板に取り付けた第２９の加速度センサの位置から第３０の加速度センサ側に５ｃｍ寄った位置を叩き、第２９の加速度センサで測定するインパクト試験の結果を示す。
【００８１】
図２５と図２６は、周波数応答関数であり、単位力（１Ｎ）の入力あたりの振動強度（ｍ／ｓ２）を表す。
【００８２】
図２５に示す測定結果と図２６に示す測定結果のいずれにおいても、周波数１６２Ｈｚにおける小さな振動ピークを検出することができた。これらのピークは、先に説明したとおり、巻線の縦振動に起因するものと判断できる。
【００８３】
このため、変圧器を製造直後、インパクトハンマーＨを用いて、あるいは健全な状態の変圧器の天板あるいは底板に衝撃を加えた結果得られる振動を解析し、周波数１６２Ｈｚの振動ピークを記録しておく。
そして、その変圧器の稼働後、必要な時期にインパクトハンマーＨを用いて変圧器の天板あるいは底板に衝撃を加えた結果得られる周波数１６２Ｈｚの振動ピークを解析し、健全な状態の変圧器で得られたピークと、所定時間稼働後の変圧器で得られたピークを比較することで変圧器の内部異常の診断あるいは劣化を診断することができる。
【００８４】
また、先の例と同様に、先の変圧器と同等構造ではあるが、変圧器の製造時に巻線や鉄心の締め付け状態を規定の締め付け力から外した状態の試験用変圧器を別途作製し、この試験用変圧器から得られる１６２Ｈｚの縦方向伸縮モードを計測しておき、この周波数の振動強度などを変圧器の異常値として調査し、記録しておく。
次に、変圧器の所要時間稼働後、天板あるいは底板に衝撃を加えた結果得られる解析結果と比較し、１６２Ｈｚのピークの振動強度が巻線や鉄心の締め付け状態を規定の締め付け力から外した状態の試験用変圧器で得られた結果と同等あるいは近い値であれば、変圧器に内部異常を生じているかあるいは変圧器が劣化していると診断することができる。
例えば、変圧器に内部異常を生じているかあるいは変圧器が劣化していると診断できる閾値として前述のピークの振動強度が１０％変動した場合を採用することができる。なお、この閾値１０％については後に詳述する。
【００８５】
固有周波数と振動強度を求めた結果、上述の周波数の振動強度が正常値として記録しておいた数値よりも異常値として記録しておいた数値に近い場合、内部異常が生じている確率が高いか、劣化が進行していると判断できる。両者を比較した場合、異常値よりも正常値に近い数値が出た場合、変圧器は多少の劣化はしているものの寿命には達していないと診断できる。
【００８６】
以上説明の如く、製造直後などのように健全な状態の変圧器について、振動解析を行い、１６２Ｈｚ、３８８Ｈｚなどのように巻線の縦振動に起因する振動の振動モードあるいは周波数、振動強度などを測定して変圧器を販売する場合のデータベースに追加しておくことにより、製造販売する変圧器に付加価値を付与することができる。
即ち、変圧器を購入したユーザーは、変圧器初期状態の１６２Ｈｚ、３８８Ｈｚなどのように巻線の縦振動に起因する振動の振動モードあるいは周波数、振動強度などの諸情報を変圧器の購入時に把握することができる。
【００８７】
これらの情報を把握しておき、変圧器の設置後、１０年経過した場合、あるいは、大きな地震を経た場合などに、上述の方法で変圧器の振動モードを計測し、初期状態の振動モードと比較し、初期状態の周波数、振動強度などと比較することで、変圧器の使用者は、変圧器の診断ができるようになる。
即ち、初期状態の情報を備えた変圧器ならば、地震後あるいは年数の経過時に変圧器に加速度センサを取り付けて振動解析を行い、変圧器の内部異常や劣化の状態を診断できるようになる。
従って、上述の初期状態の情報を備えた変圧器を販売するならば、付加価値の高い変圧器として販売できるようになる効果がある。
【００８８】
＜第２実施形態＞ 
本発明の第２実施形態は鉄心の異常および劣化に基づく変圧器の異常および劣化の診断方法に関する。
診断装置の構成は、図１（ａ）に示す診断装置と同一であり、変圧器全体構造および内部構造も図１（ｂ）の変圧器と同一である。
【００８９】
本第２実施形態においても、図２に示す○で囲む数値の１〜４に示す変圧器１の側板と、それに加えて底板および天板に対し、鉄心の振動をできるだけ正確に検知できるように複数の加速度センサを取り付けることが好ましい。
先の実施形態と同様、図３を基に説明したように変圧器に３１個の加速度センサを取り付け、定格電流比３０％の稼働状態で各点１２０秒振動測定した結果を用い、以下に鉄心振動について解析した結果について述べる。
【００９０】
「１７Ｈｚピークの振動モード」
先に、図４に示す振動について周波数毎のピークを分析した結果について説明したが、それらの中で１７Ｈｚに現れた振動モードが、鉄心のＹ方向曲げモードであると判断した。その判断の根拠を以下に説明する。
１７Ｈｚピークの振動モードについて、図３の長辺側の側面４７側から見た１周期分の振動の様子を８等分して図２７（ａ）〜（ｃ）、図２８（ｄ）〜（ｆ）、図２９（ｇ）〜（ｈ）に示す。
丸印で示したＷ相コイル体近傍に設置した第３１の加速度センサと、Ｕ相コイル体近傍に設置した第３の加速度センサの両者が、○印で示すように図２７（ｃ）で最も伸 び、○印で示すように図２９（ｇ）で最も縮んでいる。このことから、１７Ｈｚの振動モードに関し、鉄心が短辺側の側板４５の面と側板４６の面のＹ方向に伸縮しているＹ方向曲げモードであると分かる。
【００９１】
「３８Ｈｚピークの振動モード」
３８Ｈｚピークの振動モードについて図３の短辺側の側板４５側から見た１周期分の振動の様子を８等分して図３０（ａ）〜（ｃ）、図３１（ｄ）〜（ｆ）、図３２（ｇ）〜（ｈ）に示す。
図３に示す長辺側の側板４８に設置した第１１の加速度センサと第１２の加速度センサと、長辺側の側板４７に設置した第１９の加速度センサと第２０の加速度センサは、○印で示すように図３０（ｂ）で最もＸ方向の正の方向に変位しており、○印で示すように図３１（ｆ）で最もＸ方向の負の方向に変位している。また、天板や底板に設置した他の加速度センサはＸ方向に対して大きな変位はみられないことから、３８Ｈｚピークの振動モードに関し、鉄心がＸ方向に屈曲しているＸ方向曲げモードであることが分かる。
【００９２】
「１８４Ｈｚピークの振動モード」
１８４Ｈｚピークの振動モードについて図３の天板４１側から見た１周期分の振動の様子を８等分して図３３（ａ）〜（ｃ）、図３４（ｄ）〜（ｆ）、図３５（ｇ）〜（ｈ）に示す。天板４１に設置した第２７の加速度センサと第２９の加速度センサと、天板４１に接する側板に設置した第２８の加速度センサと第３０の加速度センサは、図３４（ｄ）で最も時計回りに変位しており、図３５（ｈ）で最も反時計回りに変位している。図３３〜図３５の各図に示すように底板５０に設置した他の加速度センサの計測値に大きな変位はみられないことから、１８４Ｈｚピークの振動モードは、上部鉄心がねじり振動しているねじりモードであると判断できる。 
【００９３】
ここで、水野末良他による「変圧器鉄心の固有振動特性」（平成２５年、電気学会全国  大会  ５−１９５）によると、鉄心について、２種類の曲げモードと１種類のねじりモードが示されている（図３６参照）。
例えば、図３６に示す鉄心３８において、支柱部３５、３５、３５と上部側のヨーク部３６と下部側のヨーク部３７とからなる構成とする。
図３６（ａ）がＹ方向曲げモードを示し、図３６（ｂ）がＸ方向曲げモードを示し、図３６（ｃ）がねじりモードを示していると表現できる。
【００９４】
図３６に示す各モードにおいて特徴的なことは、図３６（ａ）のＹ方向曲げモードにおいて、○囲み数値の７と１０に示すように左右の支柱部３５が撓むことであり、図３６（ｂ）のＸ方向曲げモードにおいて、○囲み数値の８、１２、９、１１のように支柱部３５が撓むことである。図３６（ｃ）のねじりモードにおいては、○囲み数値の２、６、３、５のように上部側のヨーク部３６と支柱部３５が撓むことである。
先に説明した本実施形態における曲げモードとねじりモードの命名は、上述の文献の曲げモードとねじりモードに倣っている。
【００９５】
前述の振動モードを確度よく同定するために、変圧器に対する加速度センサの設置位置は、なるべく多い方が良い。しかし、測定時間や変圧器本体へのセンサ設置の容易さにより、常時、図３のように十分に多くの加速度センサを設置できるわけではない。
そのような場合、例えば図３７に示すように変圧器Ｓに対し８箇所設置するだけでも振動モードの推定は可能である。例えば、変圧器の側板４５、４６、４７、４８を取り囲むように第３の加速度センサと、第１１の加速度センサと、第１２の加速度センサと、第３１の加速度センサと、第２０の加速度センサと、第１９の加速度センサを取り付け、天板４１上に第２７の加速度センサと第２９の加速度センサを取り付けることができる。
【００９６】
第３の加速度センサと第１１の加速度センサと第１２の加速度センサと第３１の加速度センサと第２０の加速度センサと第１９の加速度センサの取り付け位置の詳細は、図３に示す各加速度センサの取り付け位置と同等である。
また、それ以下のセンサ設置数であっても、３軸加速度計を使用するか、振動データのＦＦＴ解析の全体像から検討するならば、確度は低下するが、各モードについて推定可能である。
【００９７】
一方、十分に多くの位置の振動を加速度センサで測定することにより、異常や劣化が発生している位置を推測することが可能となる。例えば、ＵＶＷ相に対し、それぞれ巻線の直上または直下のタンク面に加速度センサを設置して振動測定した場合、正常な相には固有振動数に変化が無く、異常や劣化が発生している相の固有振動数には変化があると考えられる。
よって、異常や劣化が疑われる部位の近傍に加速度センサを設置して振動測定することにより、変圧器内のどこの部位に異常や劣化が生じているか、タンク振動を基に外部診断することが可能である。
【００９８】
図３８は、本発明に係る診断方法の一例に対応するフローチャートを示す。
図３８に示すフローチャートの前半部分において、上部破線で囲んだ部分は未劣化の正常変圧器における変圧器振動を立体アニメーション表示させ、巻線の固有振動モードと鉄心の固有振動モードを同定し、固有振動モードに対応する固有振動数を同定する工程を示す。
固有振動モードを同定するには、変圧器の天板と側板と底板のうち、適切な箇所に加速度センサーを設置して振動データを取得する。理想的には、図３に示す約３０箇所の振動を測定するならば、低次の巻線の縦振動モードおよび鉄心の曲げ・ねじりモードをもれなく測定できる。
【００９９】
図３８に示すようにステップＳ１では、未劣化の変圧器に対し、望ましくは先の図３に示す例に示す如く約３０カ所に加速度センサを取り付け、ステップＳ２において、各加速度センサの測定結果を基に先に説明したように解析ソフトを用いて立体アニメーション表示する。続くステップＳ３では、未劣化正常稼働時の変圧器の巻線縦振動モードを把握し、更に、鉄心のＸ方向曲げモードとＹ方向曲げモードおよびねじりモードの固有振動数を把握する。把握したこれらのモードや固有振動数などの情報を、未劣化の正常な変圧器の基本情報として、図１（ａ）に示す診断装置Ａの解析器２６に搭載されているメモリやハードディスクなどの記憶装置に記憶しておく。
【０１００】
固有振動数を把握した後、期間をおいて同変圧器振動を再測定する。その期間とは異常や劣化が生じた可能性があり、それを確認する必要に応じて決められる。例えば、巻線や鉄心の変形やそれらを支えるプレスボードが脱落することは、短絡故障時や落雷発生時に変圧器に短絡電流が流れたり、地震により変圧器が揺れたりした際に、巻線や鉄心に大きな外力が作用した場合に生じる可能性が高いと考えられるため、定期的に点検する以外にそのような事象の後にも点検することが望まれる。
【０１０１】
また、プレスボードの劣化は数十年単位に渡って徐々に進行すると考えられるが、変圧器の過負荷運転により劣化が加速する場合もあるため、５〜１０年おきに定期的に点検するか、過負荷運転を実施した後に点検することが好ましい。また、プレスボードの劣化が進んだ変圧器では、鉄心や巻線の締付け力が低下しているので、先に述べた巻線や鉄心の異常も発生しやすくなるため、経年変圧器は頻度を高めた点検が望まれる。
【０１０２】
図３８に示すフローチャートの後半部分は劣化や異常の診断手順を示す。
予め上述の基本情報を記録しておいた変圧器に対し、ステップＳ４において、必要箇所に加速度センサを取り付けて上述の実施形態で説明したように固有振動数の周波数における振動モードを解析する。ステップＳ４で行う振動測定は、未劣化状態の変圧器に対してステップＳ１〜Ｓ３で行った解析と同等で良い。
【０１０３】
この解析により得られた結果を診断装置Ａの解析器２６に搭載されているメモリやハードディスクなどの記憶装置に記憶されている未劣化状態の変圧器の基本情報とステップＳ５で比較し、変動幅が何％であるのか対比して診断する。
例えば、閾値を１０％と規定しておくならば、１０％を超える変動を生じていた場合、診断結果Ｓ６に示すように異常または劣化が発生していると診断する。あるいは、診断結果Ｓ７に示すように異常または劣化が発生していないと診断する。
以上のフローに示す如く、変圧器の異常あるいは劣化を診断することができる。
【０１０４】
なお、固有振動数が未劣化正常時の変圧器の固有振動数に比較してどれだけ変動すると異常や劣化であると判断するかについては、変圧器の仕様によりそれぞれ異なる。
例えば、劣化や異常とは別に、相関関係として、固有振動数が約１０％低下すると巻線の締付け力が半減すると考えられる。そして、その閾値を超えて固有振動数が変動した変圧器は、異常または劣化を生じていると診断することができるので、１０％を閾値として採用することができる。
変圧器の上述のような状態は、比較的小さい短絡電流や地震動によっても巻線や鉄心に更なる異常をきたす可能性が高くなることから、他の点検も併せて実施するなどして、変圧器の運転継続の可否や変圧器更新の可否を決定する。一方、閾値未満の変動幅であれば継続稼働が可能と判断し、運転は継続し、後日再点検することが望ましい。
【０１０５】
図１（ｂ）に示す診断装置Ａの解析器２６に搭載されているメモリやハードディスクなどの記憶装置には変圧器の上述した基本情報が記憶されている。
基本情報とは、先に説明した複数の加速度センサを用いて未劣化状態の変圧器に対し振動解析した結果の情報である。
【０１０６】
これに対し、先に説明したように３２年稼働した後の変圧器の振動解析結果から、変圧器１のタンク２について、複数の箇所に設けた加速度センサの計測結果から、機械系振動数をＭＥ’ｓｃｏｐｅでモード解析した結果、１３ＨｚピークはＺ方向の単純振動または鉄心振動、１６２Ｈｚと３８８Ｈｚピークは巻線の縦方向伸縮、２２８Ｈｚピークは鉄心のＹ方向伸縮（Ｙ方向曲げモード）が主な振動モードであると判定できた。
また、１７Ｈｚピークの振動モードは、鉄心のＹ方向曲げモードであり、３８Ｈｚピークの振動モードは、Ｘ方向曲げモードであり、１８４Ｈｚピークの振動モードは、鉄心のねじり振動モードであると判定できた。
【０１０７】
このため、先の実施形態において分析した変圧器と同等構造の他の稼働中の変圧器を診断する場合、これらの情報を予め解析器２６に搭載されているメモリやハードディスクなどの記憶装置に対比情報として記憶させておくことが望ましい。
即ち、１６２Ｈｚと３８８Ｈｚピークは巻線の縦方向振動モード、１７Ｈｚと２２８Ｈｚピークは鉄心のＹ方向曲げモード、３８Ｈｚピークは鉄心のＸ方向曲げモード、１８４Ｈｚピークは鉄心のねじり振動モードである。
【０１０８】
よって、先の実施形態において分析した変圧器と同等構造の他の稼働中の変圧器を診断する場合、これら周波数のピークを測定して把握し、未劣化状態の変圧器のこれら周波数のピークの振動と比較すると、巻線に問題を生じているのか、鉄心に問題を生じているのか、容易に判断することができる。
【０１０９】
「巻線振動数に関する説明」
次に、変圧器における巻線の締め付け力と固有振動数の関係について説明する。
変圧器巻線のうちディスク巻線を例にとりその構造を図３９（ａ）に示す。巻線の軸方向（縦方向）に円盤状のコイル６０が積み重ねられており、コイル６０、６０間にはスペーサー６１が挿入されている。コイル６０の冷却のためにコイル６０、６０間に絶縁油が流れるようにスペーサー６１は円周方向に間隔をあけて配置されている。巻線の上端・下端には絶縁リング６２が配置され、巻線と鉄心を絶縁している。
【０１１０】
図３９（ａ）に示す構造は、一例として、図１（ｂ）に示した変圧器のコイル体３の構造に該当し、図３６（ａ）に示す構造は縦方向に適当な力で締付けられている。
変圧器巻線のコイル６０を軸方向に一様なものと近似して分布定数系とみなしたモデルを図３９（ｂ）に示す。ここで、Ｌは巻線の軸方向の長さ、ρは平均の線密度、Ｅは平均の弾性率、Ｓはコイルの受圧面積、Ｔは巻線の締付け力を表す。
【０１１１】
（１）横方向の固有振動
両端が固定された弦と仮定して縦方向をｘ、横方向をｙとした座標系で考えることにする（図４０参照）。
時刻ｔにおける座標ｘの位置の変位をｙ（ｘ，ｔ）とおく。運動方程式を導くため、図４１に示すような微小要素に働く力を考える。
変位があまり大きくないとき、この要素の質量はρｄｘと近似できる。また、この微小要素に作用する変位方向の力、すなわち復元力は、微小要素の両端に作用する張力である。具体的には、微小要素の左端（座標ｘの断面）で変位の負の方向にＴθ、微小要素の右端（座標ｘ＋ｄｘの断面）で変位の正の方向にＴ｛θ＋（∂θ／∂ｘ）・ｄｘ｝である。したがって、運動方程式は次の式（１）で与えられる。
【０１１２】
【数１】
2020094938.tif 000003
【０１１３】
さらに、弦の変位と傾きの間には、以下の式（２）で示す関係があるので、式（２）を式（１）に代入して整理すると以下の（３）式が得られる。
【０１１４】
【数２】
2020094938.tif 000004
【０１１５】
【数３】
2020094938.tif 000005
【０１１６】
ここで、ｃ２＝Ｔ／ρである。
境界条件をｙ（０，ｔ）＝０、ｙ（Ｌ，ｔ）＝０とし、初期変位と初期条件をｙ（ｘ，０）＝ｙ０（ｘ）、ｄｙ（ｘ，０）／ｄｔ＝ｖ０（ｘ）と指定する。変数分離法を用い、解ｙ（ｘ，ｔ）をＹ（ｘ）Ｇ（ｔ）と表すと、次の式（４）が得られる。
【０１１７】
【数４】
2020094938.tif 000006
【０１１８】
式（４）において、右辺左辺がそれぞれ一定値であると考え、その定数を−ω2とおくと次の（５）式と（６）式が得られる。
【０１１９】
【数５】
2020094938.tif 000007
【０１２０】
【数６】
2020094938.tif 000008
【０１２１】
ここで、ｋ＝ω/cである。
これら式の一般解はそれぞれ以下の式のようになる。
Ｙ（ｘ）＝Ａｃｏｓｋｘ＋Ｂｓｉｎｋｘ
Ｇ（ｔ）＝Ｃｃｏｓωｔ＋Ｄｓｉｎωｔ
ただし、Ａ、ＢおよびＣ、Ｄは任意定数であって、境界条件と初期条件から決定される。その結果、これを満足するｋの値は以下の式（７）となる。
【０１２２】
【数７】
2020094938.tif 000009
【０１２３】
従って、ｎ次の固有振動数ωnは次の式（８）のように表すことができる。
【０１２４】
【数８】
2020094938.tif 000010
【０１２５】
（２）縦方向の固有振動  
両端が固定された棒として縦方向をｘとした座標系で考えることにする。時刻ｔにおける座標ｘの位置の変位をｕ（ｘ，ｔ）とおく。運動方程式を導くため、図４２に示すような断面積Ｓの微小要素に働く力を考える。断面に作用する力は断面に垂直方向の応力をσ（ｘ，ｔ）としたときσ（ｘ，ｔ）Ｓで表され、さらに縦方向の変位とひずみをそれぞれｕ（ｘ，ｔ）、ε（ｘ，ｔ）、縦弾性係数Ｅには次の式（９）の関係がある。
【０１２６】
【数９】
2020094938.tif 000011
【０１２７】
この微小要素に作用する変位方向の力、すなわち復元力は、微小要素の両端に作用する張力である。具体的には微小要素の左端（座標ｘの断面）で変位の正の方向にσＳ、微小要素の右端（座標ｘ＋ｄｘの断面）で変位の負の方向にσＳ＋∂(σＳ)/∂x・dxである。
したがって、微小要素の運動方程式は、棒の線密度をρとして以下の式（１０）で示すことができる。
【０１２８】
【数１０】
2020094938.tif 000012
【０１２９】
棒が均質で断面が一様であると近似すると、上の式（１０）は次の式（１１）のように書き直すことができる。
【０１３０】
【数１１】
2020094938.tif 000013
【０１３１】
ここで、ｃ２＝ＥＳ／ρである。
横方向の固有振動で議論した場合と同様な数式が得られたことから、同様な数式の展開により、縦方向の固有振動数は次の式（１２）のように表すことができる。
【０１３２】
【数１２】
2020094938.tif 000014
【０１３３】
変圧器のスペーサーに用いるプレスボードの圧縮ひずみ特性例を図４３に示す。
実際には弾性率はひずみに対して一定ではなく、締付け力が大きくなるにつれて大きくなる。このことは、締め付けるほどきつくなり、縮みにくくなる実感と一致している。一般に応力とひずみの関係は次の式（１３）で与えられる。
【０１３４】
【数１３】
2020094938.tif 000015
【０１３５】
よって、等価的な弾性率は以下の式（１４）で表される。
【０１３６】
【数１４】
2020094938.tif 000016
よって、Ｔを用いて固有振動数は以下の式（１５）で表される。
【０１３７】
【数１５】
2020094938.tif 000017
【０１３８】
仮にｂ＝１の場合、次の式（１６）のように横方向固有振動数の１／√ε倍になる。
【０１３９】
【数１６】
2020094938.tif 000018
【０１４０】
（３）異常や劣化と固有振動数変動の関係
次に、変圧器の異常や劣化と巻線や鉄心の固有振動数変動の関係について述べる。
始めに巻線スペーサーの劣化と巻線縦方向固有振動数の低下の関係について説明する。
図４４はスペーサーの収縮と締付け力の低下と弾性率の低下の関係を示す図である。
巻線の初期締付け力として、巻線に張力Ｔ０を与えていたと仮定し、その時の巻線ひずみ量をε０、巻線弾性率をＥ０とする。巻線スペーサーに使用されるプレスボードは経年劣化で体積が減少し、厚みが減ることが知られている。
時間ｔが経過した時点でスペーサーの厚さが減少し、ひずみ量がεｔに減少したと仮定する。その時点での締付け力はＴｔに低下し、弾性率はＥｔに低下したと仮定する。すると、縦方向固有振動数は次の式（１７）のように初期値ω0ｎからωｔｎに低下する。
【０１４１】
【数１７】
2020094938.tif 000019
【０１４２】
よって、スペーサーのプレスボードが劣化すると巻線縦方向固有振動数が低下することが説明された。従って、先に説明した複数の加速度センサを用いて巻線縦方向固有振動数の変化を把握し、未劣化の変圧器の巻線縦方向固有振動数と比較することが、変圧器の内部異常や劣化を把握する上で有用であると判る。
巻線が変形したり、スペーサーが脱落したりすると、締付け力が低下し、弾性率が低下し、巻線縦方向固有振動数が低下する。
また、締付け力が低下すると、縦方向だけでなく横方向の固有振動数も低下することから、縦方向と横方向が複合した高次の固有振動モードの固有振動数も低下すると考えられる。よって、低次の基本振動モードに限らず、妨害振動が少ない測定容易な固有振動モードについて測定、解析すれば変圧器の診断が行えることがわかる。
【０１４３】
次に、鉄心について述べる。積層されたケイ素鋼板において、積層方向に圧縮力を加えた時の応力とひずみの関係は、スペーサーのプレスボードの場合と同様に非線形である。
変圧器に設けられている鉄心は、ボルトで締結されており、経年や短絡故障時の電磁力や地震動のためボルトが緩むことが考えられる。鉄心の締付け力低下により弾性率が低下することから、鉄心の締付け力の低下も、鉄心の固有振動数の低下を捉えることで診断できることがわかる。
従って、先に説明した複数の加速度センサを用いて鉄心固有振動数の変化を把握し、未劣化の変圧器の鉄心固有振動数と比較することが、変圧器の内部異常や劣化を把握する上で有用であると判る。
【符号の説明】
【０１４４】
Ａ…診断装置、１…変圧器、２…タンク、２Ａ…側板、２Ｂ…底板、２Ｃ…天板、
３…コイル体、４…天板、５…鉄心、６…ヨーク部、７…支柱部材、
９…外側コイル（１次コイル）、１０…内側コイル（２次コイル）、１１…外巻線、
１２…絶縁スペーサー、１６…内巻線、１７…絶縁スペーサー、１８…上部絶縁物、
１９…下部絶縁物、２２…振動検出器（加速度センサ）、２３…電圧計、
２４、２５…増幅器、２６…解析器、２７…演算装置、２８…表示装置、３５…支柱部、３６…上部側のヨーク部、３７…下部側のヨーク部、３８…鉄心、４１…天板、
４５、４６…短辺側の側板、４７、４８…長辺側の側板、５０…底板、
Ｓ…サンプル変圧器、ＡＥ１、ＡＥ２、ＡＥ３…加速度センサ。
【図１】
2020094938.tif 000020
【図２】
2020094938.tif 000021
【図３】
2020094938.tif 000022
【図４】
2020094938.tif 000023
【図５】
2020094938.tif 000024
【図６】
2020094938.tif 000025
【図７】
2020094938.tif 000026
【図８】
2020094938.tif 000027
【図９】
2020094938.tif 000028
【図１０】
2020094938.tif 000029
【図１１】
2020094938.tif 000030
【図１２】
2020094938.tif 000031
【図１３】
2020094938.tif 000032
【図１４】
2020094938.tif 000033
【図１５】
2020094938.tif 000034
【図１６】
2020094938.tif 000035
【図１７】
2020094938.tif 000036
【図１８】
2020094938.tif 000037
【図１９】
2020094938.tif 000038
【図２０】
2020094938.tif 000039
【図２１】
2020094938.tif 000040
【図２２】
2020094938.tif 000041
【図２３】
2020094938.tif 000042
【図２４】
2020094938.tif 000043
【図２５】
2020094938.tif 000044
【図２６】
2020094938.tif 000045
【図２７】
2020094938.tif 000046
【図２８】
2020094938.tif 000047
【図２９】
2020094938.tif 000048
【図３０】
2020094938.tif 000049
【図３１】
2020094938.tif 000050
【図３２】
2020094938.tif 000051
【図３３】
2020094938.tif 000052
【図３４】
2020094938.tif 000053
【図３５】
2020094938.tif 000054
【図３６】
2020094938.tif 000055
【図３７】
2020094938.tif 000056
【図３８】
2020094938.tif 000057
【図３９】
2020094938.tif 000058
【図４０】
2020094938.tif 000059
【図４１】
2020094938.tif 000060
【図４２】
2020094938.tif 000061
【図４３】
2020094938.tif 000062
【図４４】
2020094938.tif 000063